(57)【要約】【課題】ネットワークを介して収集した医学知識情報をデータベース化し登録し、ユーザが必要とする最適な医学知識情報を迅速かつ適確に提供する。【解決手段】第１の医学知識管理サーバ１ａは会員限定セキュアネットワーク５を介してユーザ端末７から医学知識情報を取得し第１の医学知識情報データベース１ｂに登録し、第２の医学知識管理サーバ３ａはインターネット９を介して医学知識情報を収集し第２の医学知識情報データベース３ｂに登録し、第１の医学知識管理サーバ１ａはユーザ端末７からの医学知識情報要求に従って第１の医学知識情報データベース１ｂまたは第２の医学知識情報データベース３ｂを検索し、該当する医学知識情報を取得し会員限定セキュアネットワーク５を介してユーザ端末７に提供する。【選択図】      図１
2004334647.tif 000002
【特許請求の範囲】
【請求項１】
医学知識情報を収集管理してユーザ端末に提供する医学知識情報管理システムであって、
ネットワークを介してユーザ端末から医学知識情報を取得する情報取得手段と、
この取得した医学知識情報を登録管理する医学知識情報データベースと、
ユーザ端末からの医学知識情報要求をネットワークを介して受信し、この医学知識情報要求に従って前記医学知識情報データベースを検索し、該当する医学知識情報を医学知識情報データベースから取得し、この医学知識情報をネットワークを介してユーザ端末に提供すべく送信する情報提供手段と
を有することを特徴とする医学知識情報管理システム。
【請求項２】
前記情報取得手段は、
本システムに加入する特定のユーザの端末からネットワークを介して医学知識情報を取得する第１の情報取得手段と、
インターネット上から医学知識情報を収集する第２の情報取得手段とを有し、
前記医学知識データベースは、
前記第１の情報取得手段で取得した医学知識情報を登録管理する第１の医学知識情報データベースと、
前記第２の情報取得手段で収集した医学知識情報を登録管理する第２の医学知識情報データベースとを有し、
前記情報提供手段は、
ユーザ端末からの医学知識情報要求を受信すると、この要求に従って第１または第２の医学知識情報データベースを検索し、該当する医学知識情報を第１または第２の医学知識情報データベースから取得し、この医学知識情報をネットワークを介して前記ユーザ端末に提供すべく送信するデータベース検索手段
を有することを特徴とする請求項１記載の医学知識情報管理システム。
【請求項３】
前記第１の情報取得手段が医学知識情報を取得するネットワークは、前記特定のユーザに限定されたユーザ限定セキュアネットワークであることを特徴とする請求項２記載の医学知識情報管理システム。
【請求項４】
前記第２の情報取得手段は、メーリングリストに登録されたユーザ端末から医学知識情報を収集するメーリングリスト利用情報収集手段を有することを特徴とする請求項２記載の医学知識情報管理システム。
【請求項５】
前記第２の情報取得手段は、
所望の医学知識情報を検索するための所望の検索条件を予め設定する検索条件設定手段と、
この設定された検索条件で適宜インターネット上を検索し、該検索条件に適合する医学知識情報を収集し、この収集した医学知識情報を前記第２の医学知識情報データベースに登録するように制御する収集登録手段と
を有することを特徴とする請求項２記載の医学知識情報管理システム。
【請求項６】
前記医学知識情報データベースは、前記登録する医学知識情報を、病名情報、患者状況情報、疾患症状情報、感染症情報、対処情報、診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報に大分類識別コードを含む個別コードを付与し、かつ各個別コードを付与された詳細情報を医学知識情報として大分類に従った最適な組合せで部品化したコンポーネント情報とし、各コンポーネント情報にコンポーネントＩＤを付与して登録するとともに、該コンポーネント情報を医学知識情報データベースから利用したユーザまたは該コンポーネント情報を提供したユーザのユーザＩＤおよび該コンポーネント情報の利用または提供が個人レベル、診療所レベル、病院レベル、地域レベルまたは特に制限のないレベルを含むいずれのレベルであるかを示す利用または提供レベルコードをコンポーネント情報と組み合わせて一意な管理ＩＤで登録管理することを特徴とする請求項１記載の医学知識情報管理システム。
【請求項７】
前記医学知識情報データベースは、登録する医学知識情報として、患者の疾患症状と該疾患症状に応じて患者に投与する医薬品の各組合せに対して前記医薬品の用量が患者の年齢と体重において対応または比例し得る患者の年齢範囲と該年齢範囲に対応する体重範囲において患者の年齢と体重の組合せに対応して前記医薬品の用量情報を用量決定テーブルとして登録管理する用量決定データベースを有し、
前記情報提供手段は、ユーザ端末からの患者の年齢、体重、疾患症状、投与する医薬品名を含む患者情報を用量情報要求とともにネットワークを介して受信すると、この患者情報により前記用量決定データベースを検索して該患者情報に適合する用量決定テーブルを取得し、この取得した用量決定テーブルから患者の年齢および体重に対応する医薬品の用量情報を取得し、この用量情報をネットワークを介してユーザ端末に提供すべく送信する用量情報提供手段を有することを特徴とする請求項１記載の医学知識情報管理システム。
【請求項８】
前記情報提供手段は、
前記ユーザ端末からの患者の年齢、体重、疾患症状、投与する医薬品名を含む患者情報を用量情報要求とともにネットワークを介して受信すると、この用量情報要求により前記用量決定データベースを検索して前記患者情報に適合する用量決定テーブルを取得し、この患者情報に適合する用量決定テーブルをネットワークを介してユーザ端末に返信し、
また前記ユーザ端末から用量決定テーブル要求をネットワークを介して受信すると、この用量決定テーブル要求に従って前記用量決定データベースから用量決定テーブルを取得し、この用量決定テーブルをネットワークを介してユーザ端末に返信する用量情報返信手段
を有することを特徴とする請求項７記載の医学知識情報管理システム。
【請求項９】
前記ユーザ端末は、
患者の年齢、体重、疾患症状、投与する医薬品名を含む患者情報を用量情報要求とともにネットワークを介して前記情報提供手段に送信する用量情報要求手段と、
この用量情報要求に対して情報提供手段から返信されてくる前記患者情報に適合する用量決定テーブルを受信し、この受信した用量決定テーブルから患者の年齢および体重に対応する医薬品の用量情報を取得する用量情報取得手段と
を有することを特徴とする請求項８記載の医学知識情報管理システム。
【請求項１０】
前記ユーザ端末は、
ネットワークを介して用量決定テーブル要求を前記情報提供手段に送信する用量決定テーブル要求手段と、
この用量決定テーブル要求に対して前記情報提供手段から返信されてくる用量決定テーブルを受信し、この受信した用量決定テーブルを登録管理する端末側用量決定データベースと、
患者の年齢、体重、疾患症状、投与する医薬品名を含む患者情報により前記端末側用量決定データベースを検索して該患者情報に適合する用量決定テーブルを取得する用量決定テーブル取得手段と、
この取得した用量決定テーブルから患者の年齢および体重に対応する医薬品の用量を決定する用量決定手段と
を有することを特徴とする請求項８記載の医学知識情報管理システム。
【請求項１１】
前記ユーザ端末は、医院、診療所、各種病院に設けられ、医療に従事する者によって操作されるデータ通信端末であることを特徴とする請求項１乃至１０のいずれか１項に記載の医学知識情報管理システム。
【請求項１２】
前記データ通信端末は、
前記ネットワークを介して医学知識情報要求を前記情報提供手段に送信し、該情報提供手段から返信されてくる医学知識情報を参照して診療を行うべく該医学知識情報を受信する情報受信手段と、この受信した医学知識情報のうち所要情報を診療に役立てるべく登録管理する情報データベースと、診療において取得した診療要領情報、感染症情報を含む医学知識情報をネットワークを介して前記情報取得手段に提供すべく送信する情報送信手段とを備える診療支援装置
を有することを特徴とする請求項１１記載の医学知識情報管理システム。
【請求項１３】
前記情報取得手段は、
ユーザ端末から取得した医学知識情報の数を提供数として各ユーザ端末毎に計数し、この計数した提供数を各ユーザ端末毎に前記医学知識情報データベースに登録するように制御する提供数計数手段を有し、
前記情報提供手段は、ユーザ端末に提供した医学知識情報の提供数を利用数として計数し、この計数した利用数を各ユーザ端末毎に前記医学知識情報データベースに登録する利用数計数手段を有し、
前記医学知識情報管理システムは、
前記医学知識情報データベースに登録された医学知識情報の提供数および利用数に基づいて各ユーザ端末に対する課金を行う課金手段
を有することを特徴とする請求項１記載の医学知識情報管理システム。
【請求項１４】
前記課金手段は、前記提供数と利用数を比較し、両者が同じ場合、提供数が利用数よりも大きい場合、提供数が利用数よりも小さい場合のそれぞれに応じた課金の割引または利用料の低減を行う課金割引手段を有することを特徴とする請求項１３記載の医学知識情報管理システム。
【請求項１５】
医学知識情報を収集管理してユーザ端末に提供するためのコンピュータが実行可能なプログラムであって、
ネットワークを介してユーザ端末から医学知識情報を取得する情報取得手段と、
この取得した医学知識情報を登録管理する医学知識情報データベースと、
ユーザ端末からの医学知識情報要求をネットワークを介して受信し、この医学知識情報要求に従って前記医学知識情報データベースを検索し、該当する医学知識情報を医学知識情報データベースから取得し、この医学知識情報をネットワークを介してユーザ端末に提供すべく送信する情報提供手段と
して前記コンピュータを機能させることを特徴とする医学知識情報管理プログラム。
【請求項１６】
前記情報取得手段は、
本システムに加入する特定のユーザの端末からネットワークを介して医学知識情報を取得する第１の情報取得手段と、
インターネット上から医学知識情報を収集する第２の情報取得手段として前記コンピュータを機能させ、
前記医学知識データベースは、
前記第１の情報取得手段で取得した医学知識情報を登録管理する第１の医学知識情報データベースと、
前記第２の情報取得手段で収集した医学知識情報を登録管理する第２の医学知識情報データベースとして前記コンピュータを機能させ、
前記情報提供手段は、
ユーザ端末からの医学知識情報要求を受信すると、この要求に従って第１または第２の医学知識情報データベースを検索し、該当する医学知識情報を第１または第２の医学知識情報データベースから取得し、この医学知識情報をネットワークを介して前記ユーザ端末に提供すべく送信する両データベース検索手段として前記コンピュータを機能させること
を特徴とする請求項１５記載の医学知識情報管理プログラム。
【請求項１７】
前記第２の情報取得手段は、メーリングリストに登録されたユーザ端末から医学知識情報を収集するメーリングリスト利用情報収集手段として前記コンピュータを機能させることを特徴とする請求項１６記載の医学知識情報管理プログラム。
【請求項１８】
前記第２の情報取得手段は、
所望の医学知識情報を検索するための所望の検索条件を予め設定する検索条件設定手段と、
この設定された検索条件で適宜インターネット上を検索し、該検索条件に適合する医学知識情報を収集し、この収集した医学知識情報を前記第２の医学知識情報データベースに登録するように制御する収集登録手段として前記コンピュータを機能させること
を特徴とする請求項１６記載の医学知識情報管理プログラム。
【請求項１９】
前記医学知識情報データベースは、前記登録する医学知識情報を、病名情報、患者状況情報、疾患症状情報、感染症情報、対処情報、診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報に大分類識別コードを含む個別コードを付与し、かつ各個別コードを付与された詳細情報を医学知識情報として大分類に従った最適な組合せで部品化したコンポーネント情報とし、各コンポーネント情報にコンポーネントＩＤを付与して登録するとともに、該コンポーネント情報を医学知識情報データベースから利用したユーザまたは該コンポーネント情報を提供したユーザのユーザＩＤおよび該コンポーネント情報の利用または提供が個人レベル、診療所レベル、病院レベル、地域レベルまたは特に制限のないレベルを含むいずれのレベルであるかを示す利用または提供レベルコードをコンポーネント情報と組み合わせて一意な管理ＩＤで登録管理するように前記コンピュータを機能させることを特徴とする請求項１５記載の医学知識情報管理プログラム。
【請求項２０】
前記医学知識情報データベースは、登録する医学知識情報として、患者の疾患症状と該疾患症状に応じて患者に投与する医薬品の各組合せに対して前記医薬品の用量が患者の年齢と体重において対応または比例し得る患者の年齢範囲と該年齢範囲に対応する体重範囲において患者の年齢と体重の組合せに対応して前記医薬品の用量情報を用量決定テーブルとして登録管理する用量決定データベースとして前記コンピュータを機能させ、
前記情報提供手段は、ユーザ端末からの患者の年齢、体重、疾患症状、投与する医薬品名を含む患者情報を用量情報要求とともにネットワークを介して受信すると、この患者情報により前記用量決定データベースを検索して該患者情報に適合する用量決定テーブルを取得し、この取得した用量決定テーブルから患者の年齢および体重に対応する医薬品の用量情報を取得し、この用量情報をネットワークを介してユーザ端末に提供すべく送信する用量情報提供手段として前記コンピュータを機能させることを特徴とする請求項１５記載の医学知識情報管理プログラム。
【発明の詳細な説明】
【０００１】
【発明の属する技術分野】
本発明は、医学知識情報を開業医、各種病院の医師、製薬メーカやインターネット上などから収集して管理し、医師などのユーザの端末に提供する医学知識情報管理システムおよびプログラムに関する。
【０００２】
【従来の技術】
医師においては、日進月歩する医療技術や医療現場における診療のコツやノウハウなどの最新の医学知識を常に追求し、患者に対して最新の優れた診療を施すことが重要であり、そのためには常に最新の医学知識を広く収集して切磋琢磨することが必要である。
【０００３】
最新の医学知識を広く収集する従来の方法としては、例えば医学知識を記述した最新の医学書や文献を広く収集して閲読することが重要である。医学知識をまとめたものとして例えばＣＤ−ＲＯＭを含む出版物があるが、このような出版物は例えば年に数回程度しか内容の更新が行われていないのが現状である。また、医学知識を収集する別の方法として、例えば医薬品に添付されている説明書があり、このような医薬品添付の説明書は定期的に更新されているので、利用方法によっては有効である（例えば、非特許文献１参照）。なお、このような医学知識は、病院の医師に有効であるのみならず、医学生や研修生にも有効であることは勿論のことである。
【０００４】
【非特許文献１】
２００２  Ｔｏｄａｙｓ  Ｔｈｅｒａｐｙ  今日の治療指針  私はこう治療している  医学書院
平成１５年（２００３）３月３日、インターネット＜ＵＲＬ；ｈｔｔｐ：／／ｗｗｗ．ｍｅｄｂｏｏｋｓ．ｏｒ．ｊｐ／ｓｅａｒｃｈ／ｈｏｎ／１０１０／ＩＳＢＮ４−２６０−１１９８９−３．ｈｔｍｌ＞
【０００５】
【発明が解決しようとする課題】
上述したように、医学知識を広く収集する従来の方法として、医学知識をまとめた出版物を利用する方法は、このような出版物が例えば年に数回程度しか内容が更新されていないため、最新の医学知識を十分に反映しているとは限らないという問題がある。
【０００６】
また、医薬品添付の説明書を利用する方法は、医薬品のユーザである医師が医薬品を利用した場合に例えば有効な新しい利用方法や処方を発見したような場合、その内容を含むようにユーザ側から更新することができないという問題がある。
【０００７】
近年のインターネットの普及によりメーリングリストや掲示板から医学知識を取得することも可能であるが、この取得した医学知識を日常の診療を支援するシステムに取り込んで利用することが容易でないという問題がある。
【０００８】
更に、医学書や文献、インターネットのみならず、種々の方法で膨大な医学知識が氾濫しているため、この膨大な医学知識から自分に必要な医学知識のみを取捨選択するには、多大の時間と労力を要し、効率的でないという問題がある。
【０００９】
また、膨大な医学知識の中から関連する医学知識を取得したとしても、医学知識に対する意見などの集約が難しく、現場の診療に適切に反映することが困難であるという問題がある。
【００１０】
本発明は、上記に鑑みてなされたもので、その目的とするところは、ネットワークを介して収集した医学知識情報をデータベース化して登録管理するとともに、ユーザが必要とする最適な医学知識情報を迅速かつ適確に検索して提供する医学知識情報管理システムおよびプログラムを提供することにある。
【００１１】
【課題を解決するための手段】
上記目的を達成するため、請求項１記載の本発明は、医学知識情報を収集管理してユーザ端末に提供する医学知識情報管理システムであって、ネットワークを介してユーザ端末から医学知識情報を取得する情報取得手段と、この取得した医学知識情報を登録管理する医学知識情報データベースと、ユーザ端末からの医学知識情報要求をネットワークを介して受信し、この医学知識情報要求に従って前記医学知識情報データベースを検索し、該当する医学知識情報を医学知識情報データベースから取得し、この医学知識情報をネットワークを介してユーザ端末に提供すべく送信する情報提供手段とを有することを要旨とする。
【００１２】
請求項１記載の本発明にあっては、ネットワークを介してユーザ端末から医学知識情報を取得し、医学知識情報データベースに登録管理し、ユーザ端末からの要求に従って医学知識情報データベースを検索し、該当する医学知識情報をネットワークを介してユーザ端末に提供するため、ネットワークを介して広く収集した最新の優れた医学知識情報を登録でき、ユーザ端末の要求に適合する最適な医学知識情報をデータベースから取得してユーザ端末に提供でき、ユーザ端末の医師は該医学知識情報に基づいて実際の診療を適確に行うことができ、適切で優れた治療を患者に施すことができる。
【００１３】
また、請求項２記載の本発明は、請求項１記載の発明において、前記情報取得手段が、本システムに加入する特定のユーザの端末からネットワークを介して医学知識情報を取得する第１の情報取得手段と、インターネット上から医学知識情報を収集する第２の情報取得手段とを有し、前記医学知識データベースが、前記第１の情報取得手段で取得した医学知識情報を登録管理する第１の医学知識情報データベースと、前記第２の情報取得手段で収集した医学知識情報を登録管理する第２の医学知識情報データベースとを有し、前記情報提供手段が、ユーザ端末からの医学知識情報要求を受信すると、この要求に従って第１または第２の医学知識情報データベースを検索し、該当する医学知識情報を第１または第２の医学知識情報データベースから取得し、この医学知識情報をネットワークを介して前記ユーザ端末に提供すべく送信するデータベース検索手段を有することを要旨とする。
【００１４】
請求項２記載の本発明にあっては、本システムに加入する特定のユーザの端末からネットワークを介して医学知識情報を取得するとともに、インターネット上から医学知識情報を収集するため、インターネットも含むネットワークを介して最新の優れた医学知識情報を広く収集でき、ユーザ端末の要求に適合する最適な医学知識情報を適確にデータベースから取得して提供でき、ユーザ端末の医師は該医学知識情報に基づいて実際の診療を適確に行うことができ、適切で優れた治療を患者に施すことができる。
【００１５】
更に、請求項３記載の本発明は、請求項２記載の発明において、前記第１の情報取得手段が医学知識情報を取得するネットワークが、前記特定のユーザに限定されたユーザ限定セキュアネットワークであることを要旨とする。
【００１６】
請求項３記載の本発明にあっては、第１の情報取得手段が医学知識情報を取得するネットワークが特定のユーザに限定されたユーザ限定セキュアネットワークであるため、特定のユーザである会員のみに最新の医学知識情報を提供でき、また該会員から信頼性のある医学知識情報を取得することができる。
【００１７】
請求項４記載の本発明は、請求項２記載の発明において、前記第２の情報取得手段が、メーリングリストに登録されたユーザ端末から医学知識情報を収集するメーリングリスト利用情報収集手段を有することを要旨とする。
【００１８】
請求項４記載の本発明にあっては、メーリングリストに登録されたユーザ端末から医学知識情報を収集するため、メーリングリストに登録された信頼のあるユーザから最新の優れた医学知識情報を適確に収集することができ、患者の治療に役立てることができる。
【００１９】
また、請求項５記載の本発明は、請求項２記載の発明において、前記第２の情報取得手段が、所望の医学知識情報を検索するための所望の検索条件を予め設定する検索条件設定手段と、この設定された検索条件で適宜インターネット上を検索し、該検索条件に適合する医学知識情報を収集し、この収集した医学知識情報を前記第２の医学知識情報データベースに登録するように制御する収集登録手段とを有することを要旨とする。
【００２０】
請求項５記載の本発明にあっては、予め設定された所望の検索条件で適宜インターネット上を検索し、該検索条件に適合する医学知識情報を収集して第２の医学知識情報データベースに登録するため、医療で必要とする所望の医学知識情報のみを適確に収集でき、患者の治療に役立てることができる。
【００２１】
更に、請求項６記載の本発明は、請求項１記載の発明において、前記医学知識情報データベースが、前記登録する医学知識情報を、病名情報、患者状況情報、疾患症状情報、感染症情報、対処情報、診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報に大分類識別コードを含む個別コードを付与し、かつ各個別コードを付与された詳細情報を医学知識情報として大分類に従った最適な組合せで部品化したコンポーネント情報とし、各コンポーネント情報にコンポーネントＩＤを付与して登録するとともに、該コンポーネント情報を医学知識情報データベースから利用したユーザまたは該コンポーネント情報を提供したユーザのユーザＩＤおよび該コンポーネント情報の利用または提供が個人レベル、診療所レベル、病院レベル、地域レベルまたは特に制限のないレベルを含むいずれのレベルであるかを示す利用または提供レベルコードをコンポーネント情報と組み合わせて一意な管理ＩＤで登録管理することを要旨とする。
【００２２】
請求項６記載の本発明にあっては、医学知識情報を病名情報、患者状況情報、疾患症状情報、感染症情報、対処情報、いわゆるコツを含む診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報を医学知識情報として大分類に従った最適な組合せで部品化したコンポーネント情報とし、利用または提供レベルコードと組み合わせて一意な管理ＩＤで登録管理するため、診療において必要とする最適なコンポーネント情報を適確に取得でき、患者の治療に役立てることができる。
【００２３】
請求項７記載の本発明は、請求項１記載の発明において、前記医学知識情報データベースが、登録する医学知識情報として、患者の疾患症状と該疾患症状に応じて患者に投与する医薬品の各組合せに対して前記医薬品の用量が患者の年齢と体重において対応または比例し得る患者の年齢範囲と該年齢範囲に対応する体重範囲において患者の年齢と体重の組合せに対応して前記医薬品の用量情報を用量決定テーブルとして登録管理する用量決定データベースを有し、前記情報提供手段が、ユーザ端末からの患者の年齢、体重、疾患症状、投与する医薬品名を含む患者情報を用量情報要求とともにネットワークを介して受信すると、この患者情報により前記用量決定データベースを検索して該患者情報に適合する用量決定テーブルを取得し、この取得した用量決定テーブルから患者の年齢および体重に対応する医薬品の用量情報を取得し、この用量情報をネットワークを介してユーザ端末に提供すべく送信する用量情報提供手段を有することを要旨とする。
【００２４】
請求項７記載の本発明にあっては、用量決定テーブルを登録する用量決定データベースを有し、この用量決定データベースから患者の年齢および体重に対応する医薬品の用量情報を取得してユーザ端末に送信するため、ユーザにおいては患者の年齢および体重に対応する医薬品の用量情報を容易に取得でき、最適な用量を適確に決定することができる。
【００２５】
また、請求項８記載の本発明は、請求項７記載の発明において、前記情報提供手段が、前記ユーザ端末からの患者の年齢、体重、疾患症状、投与する医薬品名を含む患者情報を用量情報要求とともにネットワークを介して受信すると、この用量情報要求により前記用量決定データベースを検索して前記患者情報に適合する用量決定テーブルを取得し、この患者情報に適合する用量決定テーブルをネットワークを介してユーザ端末に返信し、また前記ユーザ端末から用量決定テーブル要求をネットワークを介して受信すると、この用量決定テーブル要求に従って前記用量決定データベースから用量決定テーブルを取得し、この用量決定テーブルをネットワークを介してユーザ端末に返信する用量情報返信手段を有することを要旨とする。
【００２６】
請求項８記載の本発明にあっては、ユーザ端末からの用量情報要求に対して患者情報に適合する用量決定テーブルをネットワークを介してユーザ端末に返信し、またユーザ端末からの用量決定テーブル要求に対して用量決定テーブルをネットワークを介してユーザ端末に返信するため、ユーザ端末では用量決定テーブルを受信し、このテーブルから患者の年齢および体重に対応する医薬品の用量情報を容易に取得でき、最適な用量を適確に決定することができる。
【００２７】
請求項９記載の本発明は、請求項８記載の発明において、前記ユーザ端末が患者の年齢、体重、疾患症状、投与する医薬品名を含む患者情報を用量情報要求とともにネットワークを介して前記情報提供手段に送信する用量情報要求手段と、この用量情報要求に対して情報提供手段から返信されてくる前記患者情報に適合する用量決定テーブルを受信し、この受信した用量決定テーブルから患者の年齢および体重に対応する医薬品の用量情報を取得する用量情報取得手段とを有することを要旨とする。
【００２８】
請求項９記載の本発明にあっては、ユーザ端末は用量情報要求を送信し、この用量情報要求に対して患者情報に適合する用量決定テーブルを受信し、この用量決定テーブルから患者の年齢および体重に対応する医薬品の用量情報を取得するため、ユーザ端末では用量決定テーブルから患者の年齢および体重に対応する医薬品の用量情報を容易に取得でき、最適な用量を適確に決定することができる。
【００２９】
請求項１０記載の本発明は、請求項８記載の発明において、前記ユーザ端末が、ネットワークを介して用量決定テーブル要求を前記情報提供手段に送信する用量決定テーブル要求手段と、この用量決定テーブル要求に対して前記情報提供手段から返信されてくる用量決定テーブルを受信し、この受信した用量決定テーブルを登録管理する端末側用量決定データベースと、患者の年齢、体重、疾患症状、投与する医薬品名を含む患者情報により前記端末側用量決定データベースを検索して該患者情報に適合する用量決定テーブルを取得する用量決定テーブル取得手段と、この取得した用量決定テーブルから患者の年齢および体重に対応する医薬品の用量を決定する用量決定手段とを有することを要旨とする。
【００３０】
請求項１０記載の本発明にあっては、ユーザ端末は用量決定テーブル要求を送信し、この要求に対して用量決定テーブルを受信すると、この用量決定テーブルをデータベースとして登録するとともに、この用量決定テーブルから患者の年齢および体重に対応する医薬品の用量を決定するため、ユーザ端末において用量決定テーブルをデータベースに登録しておくことにより、いちいちネットワークを介してアクセスすることなく、ユーザ端末において患者の年齢および体重に対応する医薬品の用量を迅速かつ効率的に決定できる。
【００３１】
また、請求項１１記載の本発明は、請求項１乃至１０のいずれか１項に記載の発明において、前記ユーザ端末が、医院、診療所、各種病院に設けられ、医療に従事する者によって操作されるデータ通信端末であることを要旨とする。
【００３２】
更に、請求項１２記載の本発明は、請求項１１記載の発明において、前記データ通信端末が、前記ネットワークを介して医学知識情報要求を前記情報提供手段に送信し、該情報提供手段から返信されてくる医学知識情報を参照して診療を行うべく該医学知識情報を受信する情報受信手段と、この受信した医学知識情報のうち所要情報を診療に役立てるべく登録管理する情報データベースと、診療において取得した診療要領情報、感染症情報を含む医学知識情報をネットワークを介して前記情報取得手段に提供すべく送信する情報送信手段とを備える診療支援装置を有することを要旨とする。
【００３３】
請求項１２記載の本発明にあっては、診療支援装置によりネットワークを介して送信した医学知識情報要求に対して返信されてくる医学知識情報を参照して診療を行い、この受信した医学知識情報のうち所要情報をデータベースに登録して診療に役立てるとともに、診療において取得したいわゆるコツを含む診療要領情報、感染症情報を含む医学知識情報をネットワークを介して提供する。
【００３４】
請求項１３記載の本発明は、請求項１記載の発明において、前記情報取得手段が、ユーザ端末から取得した医学知識情報の数を提供数として各ユーザ端末毎に計数し、この計数した提供数を各ユーザ端末毎に前記医学知識情報データベースに登録するように制御する提供数計数手段を有し、前記情報提供手段が、ユーザ端末に提供した医学知識情報の提供数を利用数として計数し、この計数した利用数を各ユーザ端末毎に前記医学知識情報データベースに登録する利用数計数手段を有し、前記医学知識情報管理システムは、前記医学知識情報データベースに登録された医学知識情報の提供数および利用数に基づいて各ユーザ端末に対する課金を行う課金手段を有することを要旨とする。
【００３５】
請求項１３記載の本発明にあっては、ユーザ端末からの医学知識情報の提供数およびユーザ端末における医学知識情報の利用数に応じてユーザ端末に対する課金を行うため、ユーザにおける医学知識情報の利用数のみでなく、提供数も考慮して課金が行われることによりユーザは医学知識情報の提供に励むことができ、有効な医学知識情報を適確に収集することができる。
【００３６】
また、請求項１４記載の本発明は、請求項１３記載の発明において、前記課金手段が、前記提供数と利用数を比較し、両者が同じ場合、提供数が利用数よりも大きい場合、提供数が利用数よりも小さい場合のそれぞれに応じた課金の割引または利用料の低減を行う課金割引手段を有することを要旨とする。
【００３７】
請求項１４記載の本発明にあっては、医学知識情報の提供数と利用数を比較し、両者が同じ場合、提供数が利用数よりも大きい場合、提供数が利用数よりも小さい場合のそれぞれに応じた課金の割引または利用料の低減を行うため、ユーザは医学知識情報の提供に励むことができ、有効な医学知識情報を適確に収集することができる。
【００３８】
更に、請求項１５記載の本発明は、医学知識情報を収集管理してユーザ端末に提供するためのコンピュータが実行可能なプログラムであって、ネットワークを介してユーザ端末から医学知識情報を取得する情報取得手段と、この取得した医学知識情報を登録管理する医学知識情報データベースと、ユーザ端末からの医学知識情報要求をネットワークを介して受信し、この医学知識情報要求に従って前記医学知識情報データベースを検索し、該当する医学知識情報を医学知識情報データベースから取得し、この医学知識情報をネットワークを介してユーザ端末に提供すべく送信する情報提供手段として前記コンピュータを機能させることを要旨とする。
【００３９】
請求項１５記載の本発明にあっては、ネットワークを介してユーザ端末から医学知識情報を取得し、医学知識情報データベースに登録管理し、ユーザ端末からの要求に従って医学知識情報データベースを検索し、該当する医学知識情報をネットワークを介してユーザ端末に提供するため、ネットワークを介して広く収集した最新の優れた医学知識情報を登録でき、ユーザ端末の要求に適合する最適な医学知識情報をデータベースから取得してユーザ端末に提供でき、ユーザ端末の医師は該医学知識情報に基づいて実際の診療を適確に行うことができ、適切で優れた治療を患者に施すことができる。
【００４０】
請求項１６記載の本発明は、請求項１５記載の発明において、前記情報取得手段が、本システムに加入する特定のユーザの端末からネットワークを介して医学知識情報を取得する第１の情報取得手段と、インターネット上から医学知識情報を収集する第２の情報取得手段として前記コンピュータを機能させ、前記医学知識データベースが、前記第１の情報取得手段で取得した医学知識情報を登録管理する第１の医学知識情報データベースと、前記第２の情報取得手段で収集した医学知識情報を登録管理する第２の医学知識情報データベースとして前記コンピュータを機能させ、前記情報提供手段が、ユーザ端末からの医学知識情報要求を受信すると、この要求に従って第１または第２の医学知識情報データベースを検索し、該当する医学知識情報を第１または第２の医学知識情報データベースから取得し、この医学知識情報をネットワークを介して前記ユーザ端末に提供すべく送信する両データベース検索手段として前記コンピュータを機能させることを要旨とする。
【００４１】
請求項１６記載の本発明にあっては、本システムに加入する特定のユーザの端末からネットワークを介して医学知識情報を取得するとともに、インターネット上から医学知識情報を収集するため、インターネットも含むネットワークを介して最新の優れた医学知識情報を広く収集でき、ユーザ端末の要求に適合する最適な医学知識情報を適確にデータベースから取得して提供でき、ユーザ端末の医師は該医学知識情報に基づいて実際の診療を適確に行うことができ、適切で優れた治療を患者に施すことができる。
【００４２】
また、請求項１７記載の本発明は、請求項１６記載の発明において、前記第２の情報取得手段が、メーリングリストに登録されたユーザ端末から医学知識情報を収集するメーリングリスト利用情報収集手段として前記コンピュータを機能させることを要旨とする。
【００４３】
請求項１７記載の本発明にあっては、メーリングリストに登録されたユーザ端末から医学知識情報を収集するため、メーリングリストに登録された信頼のあるユーザから最新の優れた医学知識情報を適確に収集することができ、患者の治療に役立てることができる。
【００４４】
更に、請求項１８記載の本発明は、請求項１６記載の発明において、前記第２の情報取得手段が、所望の医学知識情報を検索するための所望の検索条件を予め設定する検索条件設定手段と、この設定された検索条件で適宜インターネット上を検索し、該検索条件に適合する医学知識情報を収集し、この収集した医学知識情報を前記第２の医学知識情報データベースに登録するように制御する収集登録手段として前記コンピュータを機能させることを要旨とする。
【００４５】
請求項１８記載の本発明にあっては、予め設定された所望の検索条件で適宜インターネット上を検索し、該検索条件に適合する医学知識情報を収集して第２の医学知識情報データベースに登録するため、医療で必要とする所望の医学知識情報のみを適確に収集でき、患者の治療に役立てることができる。
【００４６】
請求項１９記載の本発明は、請求項１５記載の発明において、前記医学知識情報データベースが、前記登録する医学知識情報を、病名情報、患者状況情報、疾患症状情報、感染症情報、対処情報、診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報に大分類識別コードを含む個別コードを付与し、かつ各個別コードを付与された詳細情報を医学知識情報として大分類に従った最適な組合せで部品化したコンポーネント情報とし、各コンポーネント情報にコンポーネントＩＤを付与して登録するとともに、該コンポーネント情報を医学知識情報データベースから利用したユーザまたは該コンポーネント情報を提供したユーザのユーザＩＤおよび該コンポーネント情報の利用または提供が個人レベル、診療所レベル、病院レベル、地域レベルまたは特に制限のないレベルを含むいずれのレベルであるかを示す利用または提供レベルコードをコンポーネント情報と組み合わせて一意な管理ＩＤで登録管理するように前記コンピュータを機能させることを要旨とする。
【００４７】
請求項１９記載の本発明にあっては、医学知識情報を病名情報、患者状況情報、疾患症状情報、感染症情報、対処情報、いわゆるコツを含む診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報を医学知識情報として大分類に従った最適な組合せで部品化したコンポーネント情報とし、利用または提供レベルコードと組み合わせて一意な管理ＩＤで登録管理するため、診療において必要とする最適なコンポーネント情報を適確に取得でき、患者の治療に役立てることができる。
【００４８】
また、請求項２０記載の本発明は、請求項１５記載の発明において、前記医学知識情報データベースが、登録する医学知識情報として、患者の疾患症状と該疾患症状に応じて患者に投与する医薬品の各組合せに対して前記医薬品の用量が患者の年齢と体重において対応または比例し得る患者の年齢範囲と該年齢範囲に対応する体重範囲において患者の年齢と体重の組合せに対応して前記医薬品の用量情報を用量決定テーブルとして登録管理する用量決定データベースとして前記コンピュータを機能させ、前記情報提供手段が、ユーザ端末からの患者の年齢、体重、疾患症状、投与する医薬品名を含む患者情報を用量情報要求とともにネットワークを介して受信すると、この患者情報により前記用量決定データベースを検索して該患者情報に適合する用量決定テーブルを取得し、この取得した用量決定テーブルから患者の年齢および体重に対応する医薬品の用量情報を取得し、この用量情報をネットワークを介してユーザ端末に提供すべく送信する用量情報提供手段として前記コンピュータを機能させることを要旨とする。
【００４９】
請求項２０記載の本発明にあっては、用量決定テーブルを登録する用量決定データベースを有し、この用量決定データベースから患者の年齢および体重に対応する医薬品の用量情報を取得してユーザ端末に送信するため、ユーザにおいては患者の年齢および体重に対応する医薬品の用量情報を容易に取得でき、最適な用量を適確に決定することができる。
【００５０】
【発明の実施の形態】
以下、図面を用いて本発明の実施の形態を説明する。図１は、本発明の一実施形態に係る医学知識情報管理システムの構成を示すブロック図である。
【００５１】
同図に示す実施形態の医学知識情報管理システムは、インターネットを含むネットワークから医学知識情報を広く収集して管理するとともに、医師などのユーザの端末からの要求に応じて医学知識情報を提供するシステムであり、本システムの利用にあっては各ユーザは会員として登録する必要があり、この会員として登録された特定のユーザの端末に対して医学知識情報を提供できるとともに、同ユーザ端末から医学知識情報の提供を受けることができるように当該ユーザ端末のみがアクセスできる会員限定セキュアネットワーク５に接続された医学知識情報管理装置１と、インターネット９から医学知識情報を広く収集できるようにインターネット９に接続された医学知識情報収集装置３とを有する。
【００５２】
医学知識情報管理装置１は、会員限定セキュアネットワーク５を介して各ユーザ端末から取得した医学知識情報を登録管理する第１の医学知識情報データベース１ｂと、会員限定セキュアネットワーク５を介して各ユーザ端末から医学知識情報を取得して第１の医学知識情報データベース１ｂに登録したり、ユーザ端末からの医学知識情報要求を受信し、この要求に従って第１の医学知識情報データベース１ｂを検索し、該当する医学知識情報を第１の医学知識情報データベース１ｂから取得し、この医学知識情報を会員限定セキュアネットワーク５を介してユーザ端末に送信したり、医学知識情報の管理を含む医学知識情報管理装置１および本システムの全体の制御を行う本発明の第１の情報取得手段、情報提供手段、データベース検索手段を構成する第１の医学知識管理サーバ１ａとから構成されている。
【００５３】
また、医学知識情報収集装置３は、インターネット９等の任意のデータ入手手段を介して収集した例えば感染症情報、医薬品情報を含む医学知識情報を登録管理する第２の医学知識情報データベース３ｂと、インターネット９から医学知識情報を収集して第２の医学知識情報データベース３ｂに登録したり、第１の医学知識情報データベース１ｂからの検索要求に応じて第２の医学知識情報データベース３ｂから医学知識情報を検索し、この検索した医学知識情報を第１の医学知識管理サーバ１ａに供給したり、医学知識情報の管理を含む医学知識情報収集装置３の全体の制御を行う第２の医学知識管理サーバ３ａとから構成されている。
【００５４】
ユーザ端末は、医院、診療所、大学病院などを含む各種病院や製薬メーカなどに設けられ、医師、医療従事者、医療関係者、担当者、更には医学生、研修生などによって操作されるデータ通信端末であり、具体的には図１に示すように、開業医によって操作されるユーザ端末７ａ，７ｃ、製薬メーカの医療関係者や担当者などによって操作される図示しないユーザ端末７ｂ、大学病院などの医師、医療従事者、医療関係者、担当者、医学生、研修生などによって操作される図示しないユーザ端末７ｄなどである。
【００５５】
また、第２の医学知識管理サーバ３ａは、メーリングリストに登録されたユーザ端末から医学知識情報を収集するメーリングリスト利用情報収集手段を有するとともに、所望の医学知識情報を検索するための所望の検索条件を予め設定する検索条件設定手段およびこの予め設定した検索条件で適宜インターネット上を検索して該検索条件に適合する医学知識情報を収集したりまたは予め設定した検索条件でメーリングリスト上から所望の医学知識情報を検索し、この取得した医学知識情報を第２の医学知識情報データベース３ｂに登録するように制御する収集登録手段を有する。すなわち、第２の医学知識管理サーバ３ａは、例えば医薬品メーカ、複数の医師などからなる医学知識コミュニティであるメーリングリストから随時医学知識情報を収集して登録することができる。更に、第２の医学知識管理サーバ３ａは、インターネット９上に公開されている医学知識情報として例えば医療文献データベース（ＭｅｄＬｉｎｅ）からも医学知識情報を収集し得るようになっている。
【００５６】
また、医学知識情報管理装置１と会員限定セキュアネットワーク５は、ルータ１１、認証部１３、ファイヤウォール１５を介して接続され、認証部１３により各ユーザ端末が真の会員であるか否かの認証を行うようになっている。医学知識情報収集装置３とインターネット９は、ルータ１１、認証部１３、ファイヤウォール１５を介して接続されている。
【００５７】
第１の医学知識情報データベース１ｂは、登録する医学知識情報を、図２において第１の医学知識情報データベース１ｂ内に示すように、ユーザ端末による医学知識情報の利用が個人レベル、診療所レベル、病院レベル、地域レベルまたは特に制限のないレベルを含むいずれのレベルであるかを示す利用レベルコードと、医師免許番号等のユーザＩＤ、情報種類をコード化した医学知識コード、厚労省薬剤マスタ等による医薬品コード、例えば妊婦の有無等をコード化した状況コード、発熱時等の症状コード、例えばＩＣＤ１０（国際疾病分類）対応標準病名マスタ等による病名コード、例えばＭＥＲＩＴ９（診療情報交換規約運用指針）による投与経路コード、粉砕等をコード化した提供形態コードなどの大分類識別コード等を組み合わせた一意な管理ＩＤで登録管理している。
【００５８】
更に詳しくは、第１の医学知識情報データベース１ｂは、病名情報、患者状況情報、疾患症状情報、感染症情報、対処情報、診療行為等によって得られていわゆるコツを含む診療要領情報、医薬品情報、医薬品の併用禁忌や相互作用を含む医薬品併用情報、投与経路情報、医薬品提供形態情報、医療機具使用法情報、医薬品服用方法情報を含む大分類情報のそれぞれに分類される各詳細情報に大分類識別コードを含む個別コードを付与し、かつ各個別コードを付与された詳細情報を医学知識情報として大分類に従った最適な組合せで部品化したコンポーネント情報とし、各コンポーネント情報にコンポーネントＩＤを付与して登録するとともに、該コンポーネント情報を第１の医学知識情報データベース１ｂから利用したユーザまたは該コンポーネント情報を提供したユーザのユーザＩＤおよび該コンポーネント情報の利用または提供が個人レベル、診療所レベル、病院レベル、地域レベルまたは特に制限のないレベルを含むいずれのレベルであるかを示す利用または提供レベルコードをコンポーネント情報と組み合わせて一意な管理ＩＤで登録管理するようになっている。
【００５９】
なお、上述したように、医学知識情報をコンポーネント情報として一意な管理ＩＤで登録管理する構成は、第１の医学知識情報データベース１ｂに限られるものでなく、第２の医学知識情報データベース３ｂも同様に医学知識情報をコンポーネント情報として一意な管理ＩＤで登録管理している。従って、両データベース間では管理ＩＤが重複しないように管理されるかまたは両データベースではそれぞれ全く異なる管理ＩＤで登録管理され第１の医学知識管理サーバ１ａが第２の医学知識情報データベース３ｂから医学知識情報を取得した時に第１の医学知識情報データベース１ｂに適合する管理ＩＤに変更してユーザ端末に提供したり第１の医学知識情報データベース１ｂに登録するなどし、いずれにしても両データベース間で医学知識情報が適正な管理ＩＤで混乱なく処理されるように登録管理されているものである。
【００６０】
上述したように一意な管理ＩＤで管理されるコンポーネント情報は、具体的には図３に示すように、例えば「サワシリン」という医薬品情報に対しては、その簡易情報、詳細情報、用法等の情報が最適な組み合わせでコンポーネント化されて、第１、第２の医学知識情報データベース１ｂ，３ｂに登録されている。そして、このようにデータベースに登録されたコンポーネント情報がユーザ端末からの要求により第１の医学知識管理サーバ１ａからユーザ端末に提供されて表示された場合には図３に示すように例えば「サワシリン」という医薬品情報が「錠剤」、「散剤」、「液剤」などの医薬品提供形態情報とともにまず表示され、この表示に対して「サワシリン」という医薬品情報がマウスオーバされた場合には、「簡易情報」がポップアップ表示され、「錠剤」という医薬品提供形態情報がマウスオーバされた場合には、「用法等」がポップアップ表示され、更に「サワシリン」という医薬品情報がマウスでクリックされた場合には、「詳細情報」がポップアップ表示されるようになっている。
【００６１】
なお、ユーザ端末と第１の医学知識情報データベース１ｂとの間の医学知識情報などのデータの送受信は、図４に示すようにＸＭＬ（Ｅｘｔｅｎｓｉｂｌｅ  Ｍａｒｋｕｐ  Ｌａｎｇｕａｇｅ）で記述された構造化文書で行われるようになっている。
【００６２】
また、第１の医学知識情報データベース１ｂは、登録する医学知識情報を、図５に示すようなメタ情報テーブル３１およびこのメタ情報テーブル３１から生成される用量決定テーブル３５を用量決定データベースとして登録管理している。用量決定テーブル３５は、患者の年齢と体重の組合せに対して患者に投与する医薬品の用量を登録しているものである。
【００６３】
更に詳しくは、第１の医学知識情報データベース１ｂ内に構成される用量決定データベースは、登録する医学知識情報として、患者の疾患症状と該疾患症状に応じて患者に投与する医薬品の各組合せに対して医薬品の用量が患者の年齢と体重において対応または比例し得る患者の年齢範囲と該年齢範囲に対応する体重範囲において患者の年齢と体重の組合せに対応して医薬品の用量情報を用量決定テーブル３５として登録管理している。
【００６４】
この用量決定テーブル３５は、横軸に患者の年齢範囲が一例として１，２，３，４歳のように設定され、縦軸には患者の体重範囲が一例として９，１０，１１，１２，１３，１４ｋｇのように設定され、両者の対応する位置に用量情報が登録されている。従って、患者の年齢と体重がわかると、この年齢と体重を用量決定テーブル３５に適用して、患者に投与する医薬品の用量を容易に取得することができる。なお、更に詳しくは、この用量決定テーブル３５は、その定義内容からわかるように、患者の年齢範囲、体重範囲、疾患症状および該疾患症状に応じて患者に投与される医薬品毎に作成されて、第１の医学知識情報データベース１ｂに登録されている。従って、用量決定テーブル３５を第１の医学知識情報データベース１ｂから検索するには、患者の年齢と体重のみでなく、患者の疾患症状と該疾患症状に応じて患者に投与される医薬品名が必要である。
【００６５】
また、この用量決定テーブル３５は、患者の年齢と体重に対応する全ての位置に用量情報を登録しているのでなく、用量決定テーブル３５の４つの角に対応する位置にのみ用量情報を登録しているだけである。すなわち、用量決定テーブル３５では、横軸と縦軸の年齢と体重の最小値と最大値に対応する年齢と体重の組合せに対応する用量のみが登録され、その他は用量が登録されず、空白のままである。このように４角の値のみを登録するだけで、その他の値は空白のままでも自動計算できるものであり、これにより記憶容量を低減して経済化を図っているものである。
【００６６】
具体的には、図５の用量決定テーブル３５では、年齢が最小値の１歳で体重が最小値の９ｋｇに対応する用量として２，８が登録されている。なお、この用量の２および８は、それぞれ用量の最小値と最大値である。同様に、年齢が最大値の４歳で体重が最小値の９ｋｇに対応する用量としては８，１４が登録され、また年齢が最小値の１歳で体重が最大値の１４ｋｇに対応する用量としては３，１０が登録され、年齢が最大値の４歳で体重が最大値の１４ｋｇに対応する用量としては１０，２０が登録され、その他の年齢と体重の組合せに対する用量は登録されず、空白のままとなっている。
【００６７】
なお、上述したように空白となっている部分の用量情報は、年齢と体重の最小値と最大値に対応する組合せに対応する４つの用量情報、すなわち用量決定テーブル３５の４つの角に登録されている４つの用量情報から按分計算により容易に算出することができる。
【００６８】
例えば、図５に示す用量決定テーブル３５において、年齢が１歳で体重が１１ｋｇの組合せに対応する用量情報の最小値ｘと最大値ｙは、対応する４つの用量情報のうちの年齢の最小値１歳と体重の最小値９ｋｇの組合せに対する用量の最小値、最大値＝２，８と年齢の最小値１歳と体重の最大値１４ｋｇの組合せに対する用量の最小値、最大値＝３，１０から次式のように算出することができる。
【００６９】
【数１】
最小値ｘ＝２＋｛（３−２）／（１４−９）｝×（１１−９）＝２．４
最大値ｙ＝８＋｛（１０−８）／（１４−９）｝×（１１−９）＝８．８
また、図５に示す用量決定テーブル３５においては、各年齢と体重の組合せに対する用量情報として、用量の最小値と最大値のみが図示されているが、同テーブルから拡大して用量情報３７として図示するように、用量情報としては、用量の最小値、最大値以外に併用禁忌情報、コメント、１回投与量、分３回投与量、分２回投与量、併用医薬品情報などや更に図示しないが、疾患症状に対する特異な診療知識情報などの情報があり、これらの情報が用量決定テーブル３５に患者の年齢と体重の各組合せに対応して登録されている。
【００７０】
また、用量決定テーブル３５を構成する例えば年齢範囲、体重範囲、用量最大値、用量最小値などのような各種情報は、メタ情報テーブル３１として第１の医学知識情報データベース１ｂに登録されている。このメタ情報テーブル３１には、医薬品名、日本標準商品分類番号、年齢範囲、体重範囲、体重単位、利用区分、著者、作成日、更新日、用量最大値、用量最小値、投与経路、剤形、医薬品添付文書番号、参考文献などが登録されている。なお、医薬品添付文書番号は、同図に示すように医薬品添付文書データベース３３としてインターネット上のいずれかのＷｅｂサイトに構成されているものから取得したり、またはＤＶＤやＣＤ−ＲＯＭなどから取得し得るものである。
【００７１】
このように構成されるメタ情報テーブル３１に登録された各種情報に基づいて用量決定テーブル３５が作成され、第１の医学知識情報データベース１ｂに登録される。
【００７２】
なお、上述したように用量決定テーブル３５の４つの角に登録される用量情報のうちの、左上角の最初の値である用量最小値（例えば２）と右下角の最後の値である用量最大値（例えば２０）は、図５に示すようにメタ情報テーブル３１に登録されているメタ情報から引用され、４つの用量情報のうちの他の情報（例えば８，３，１０，８，１４，１０）は、別途入力されるものである。
【００７３】
上述したメタ情報テーブル３１、用量決定テーブル３５およびこの用量決定テーブル３５から用量を自動計算する処理情報は、図６に用量自動計算コンポーネントとして示すように第１の医学知識情報データベース１ｂにコンポーネント情報として登録されている。
【００７４】
このような用量自動計算コンポーネントを第１の医学知識情報データベース１ｂに医学知識情報として登録管理している第１の医学知識管理サーバ１ａは、ユーザ端末から患者の年齢、体重、疾患症状、投与する医薬品名を含む患者情報を用量情報要求とともに会員限定セキュアネットワーク５を介して受信すると、この患者情報により第１の医学知識情報データベース１ｂ内の用量決定データベースを検索して該患者情報に適合する用量決定テーブル３５を取得し、この取得した用量決定テーブル３５から患者の年齢および体重に対応する医薬品の用量情報を取得し、この用量情報を会員限定セキュアネットワーク５を介してユーザ端末に送信する。この機能が本発明の用量情報提供手段である。
【００７５】
なお、上記用量情報提供手段は、医学知識情報管理装置１がユーザ端末からの用量情報要求に応答し、患者情報に適合する用量情報を第１の医学知識情報データベース１ｂから検索してユーザ端末に提供するものであるが、本発明はこれに限定されるものでなく、医学知識情報管理装置１が患者情報に適合する最終の用量情報を提供するのでなく、医学知識情報管理装置１は単に患者情報に適合する用量決定テーブルをユーザ端末に提供するだけのものであったり、またはメタ情報テーブル３１と用量決定テーブル３５そのものをユーザ端末に提供するものであってもよいものである。
【００７６】
まず、医学知識情報管理装置１が患者情報に適合する用量決定テーブルをユーザ端末に提供するだけである場合には、第１の医学知識管理サーバ１ａはユーザ端末からの患者の年齢、体重、疾患症状、投与する医薬品名を含む患者情報を用量情報要求とともに会員限定セキュアネットワーク５を介して受信すると、この用量情報要求により第１の医学知識情報データベース１ｂ内の用量決定データベースを検索して患者情報に適合する用量決定テーブルを取得し、この患者情報に適合する用量決定テーブルを会員限定セキュアネットワーク５を介してユーザ端末に返信する。
【００７７】
一方、ユーザ端末においては、患者の年齢、体重、疾患症状、投与する医薬品名を含む患者情報を用量情報要求とともに会員限定セキュアネットワーク５を介して第１の医学知識管理サーバ１ａに送信し、この用量情報要求に対して第１の医学知識管理サーバ１ａから返信されてくる患者情報に適合する用量決定テーブル３５を受信し、この受信した用量決定テーブル３５から患者の年齢および体重に対応する医薬品の用量情報を取得する。
【００７８】
次に、第１の医学知識管理サーバ１ａが用量決定テーブル３５そのものを提供し、この用量決定テーブル３５をユーザ端末において登録し、この用量決定テーブル３５から患者情報に適合する用量情報を取得する場合には、第１の医学知識管理サーバ１ａはユーザ端末から用量決定テーブル要求を会員限定セキュアネットワーク５を介して受信すると、この用量決定テーブル要求に従って第１の医学知識情報データベース１ｂ内の用量決定データベースから用量決定テーブルを取得し、この用量決定テーブルそのものを会員限定セキュアネットワーク５を介してユーザ端末に返信する。
【００７９】
一方、ユーザ端末においては、会員限定セキュアネットワーク５を介して用量決定テーブル要求を第１の医学知識管理サーバ１ａに送信し、この用量決定テーブル要求に対して第１の医学知識管理サーバ１ａから返信されてくる用量決定テーブル３５を受信し、この受信した用量決定テーブル３５を端末側用量決定データベースに登録する。そして、ユーザ端末では、患者の年齢、体重、疾患症状、投与する医薬品名を含む患者情報により端末側用量決定データベースを検索して該患者情報に適合する用量決定テーブル３５を取得し、この取得した用量決定テーブル３５から患者の年齢および体重に対応する医薬品の用量を決定するものである。
【００８０】
また、ユーザ端末は、当該ユーザである医師が自己の診療に必要な医学知識情報を医学知識情報管理システムから取り込み、この取り込んだ医学知識情報を参考としながら患者に対する実際の診療を行ったり、この取り込んだ医学知識情報を必要に応じてカスタマイズしたり、入れ替えたり、また日常の診療で習得した診療のコツや感染症情報などを会員限定セキュアネットワーク５を介して第１の医学知識情報データベース１ｂに送信するなどの処理を行うことができる診療支援装置を備えている。なお、この診療支援装置は、ユーザ端末そのものであるが、その構成としては、ユーザ端末がコンピュータで構成されている場合には、該コンピュータ内にソフトウェアにより内蔵されて構成されてもよいし、またはユーザ端末と別の装置として設けられるなどしてもよいものである。
【００８１】
この診療支援装置は、会員限定セキュアネットワーク５を介して医学知識情報要求を医学知識情報管理装置１に送信し、該医学知識情報管理装置１からコンポーネント情報として返信されてくる医学知識情報を参照して実際の診療を行うべく該医学知識情報を受信する情報受信手段と、この受信した医学知識情報のうち所要情報を診療に役立てるべく登録管理する情報データベースと、診療において取得した診療要領情報、感染症情報を含む医学知識情報を会員限定セキュアネットワーク５を介して医学知識情報管理装置１に提供すべく送信する情報送信手段とを備える。
【００８２】
更に具体的には、例えば開業医や大学病院などの医師であるユーザは、実際の診療を行いながら日常の診療で習得した診療のコツや感染症情報などの医学知識情報を診療支援装置またはユーザ端末から会員限定セキュアネットワーク５を介して医学知識情報管理装置１に送信する。医学知識情報管理装置１においては、ユーザ端末から送信されてきた医学知識情報を受信すると、この医学知識情報を第１の医学知識情報データベース１ｂに登録されている医学知識情報と照合し、最新の優れた医学知識情報であると認めた場合には、この医学知識情報に上述したコンポーネント情報としてコンポーネントＩＤを付与するとともに、またこのコンポーネントＩＤに当該医学知識情報を提供したユーザのユーザＩＤおよび提供レベルコードを付与して管理ＩＤを設定して第１の医学知識情報データベース１ｂに追加登録または更新登録する。
【００８３】
また、ユーザは、実際の診療において必要な医学知識を医学知識情報管理装置１から取得したい場合には、この取得したい医学知識を特定し得る検索条件を作成し、この検索条件を含む医学知識情報要求を診療支援装置またはユーザ端末から会員限定セキュアネットワーク５を介して医学知識情報管理装置１に送信する。医学知識情報管理装置１は、第１の医学知識管理サーバ１ａにおいて、当該検索条件を含む医学知識情報要求を受信すると、この検索条件で第１の医学知識情報データベース１ｂを検索し、当該検索条件に適合した最新の医学知識情報を取得し、第１の医学知識管理サーバ１ａから会員限定セキュアネットワーク５を介して診療支援装置またはユーザ端末に返信する。診療支援装置またはユーザ端末においては、第１の医学知識管理サーバ１ａから返信されてくる最新の医学知識情報を受信すると、この医学知識情報を参考としながら患者に対して最新の優れた診療を行うことができる。
【００８４】
更に、第１の医学知識管理サーバ１ａは、ユーザ端末または診療支援装置（以下、ユーザ端末と称する）から取得した医学知識情報の数を提供数として各ユーザ端末毎に計数し、この計数した提供数を各ユーザ端末毎に第１の医学知識情報データベース１ｂに登録するように制御する提供数計数手段、および第１の医学知識管理サーバ１ａからユーザ端末に提供した医学知識情報の提供数を利用数として計数し、この計数した利用数を各ユーザ端末毎に第１の医学知識情報データベース１ｂに登録する利用数計数手段を有し、このように第１の医学知識情報データベース１ｂに登録された医学知識情報の提供数および利用数に基づいて各ユーザ端末に対する課金を行う課金手段を有する。
【００８５】
この課金手段は、提供数と利用数を比較し、両者が同じ場合、提供数が利用数よりも大きい場合、提供数が利用数よりも小さい場合のそれぞれに応じた課金の割引または利用料の低減を行う課金割引手段を有する。例えば、第１の医学知識管理サーバ１ａで計数し第１の医学知識情報データベース１ｂに登録したあるユーザの提供数が所定の数に到達すると、このユーザのシステム利用料金を減じたり、または提供数に応じて会費を低減したり相殺するなどの課金処理を行うことができるようになっている。なお、このような課金処理は、ユーザが提供する医学知識情報の質や量を勘案して行うことも可能である。
【００８６】
上述したように、第２の医学知識管理サーバ３ａはメーリングリストに登録されたユーザ端末から医学知識情報を収集するメーリングリスト利用情報収集手段を有するが、このメーリングリスト形式で取得する医学知識情報と医学知識情報管理システムの連携イメージについて図２を参照して説明する。
【００８７】
メーリングリストに登録されている医師などのユーザは、図２に示すように、ユーザ端末７ａにおいてメーリングリスト形式の医学知識（以下、ＭＬと略称する）を外部メディアなどから作成してＭＬ連携画面６１を作成する。ユーザは、ユーザ端末７ａのＭＬ連携画面６１に表示されている「投稿」ホルダをクリックするなどして、この作成したＭＬをインターネット９を介して本実施形態の医学知識情報収集装置３を含む各メーリングリストの参加者全員に送信する。医学知識情報収集装置３は、このユーザ端末７ａからインターネット９を介して送信されてくるＭＬを第２の医学知識管理サーバ３ａで受信し、第２の医学知識情報データベース３ｂに登録する。
【００８８】
また、ユーザ端末７ａに電子カルテ画面６３として示すようにユーザが実際に診療を行って習得した結果の診療記録のうちの例えば価値のある重要な医学知識を第１の医学知識情報データベース１ｂに登録すべく会員限定セキュアネットワーク５を介して医学知識情報管理装置１に送信したり、メーリングリストの各参加者に送信した方がよいと考えられる医学知識情報についてはＭＬとしてＭＬ連携画面６１からインターネット９を介して医学知識情報収集装置３に送信したり、またユーザ個人として登録管理しておきたい医学知識について知識管理として示すように電子カルテ画面６３から個人医学知識管理画面６５を読み出し、個人医学知識として図示しないユーザ側データベースに登録する。また、この登録した個人医学知識は、個人医学知識管理画面６５からリンク関係一覧を経て至るリンク情報管理画面６７に示すようにリンク名を付与して、その分類上のカテゴリや管理ＩＤとともに登録するようになっている。
【００８９】
次に、図６を参照して、本実施形態の医学知識情報管理システムの作用について説明する。
【００９０】
図６において、例えば開業医などの医師が、実際の診療によって優れた新規の医学知識情報を習得し、この医学知識情報を医学知識情報管理システムに登録しようとする場合には、ユーザ端末７ａにおいて当該医学知識情報をＸＭＬで記述し、このＸＭＬで記述した医学知識情報をユーザ端末７ａから会員限定セキュアネットワーク５を介して医学知識情報管理装置１の第１の医学知識管理サーバ１ａに送信する（ステップＳ１）。
【００９１】
第１の医学知識管理サーバ１ａは、このユーザ端末７ａからの医学知識情報を受信すると、コンポーネントＩＤや管理ＩＤを付与して第１の医学知識情報データベース１ｂに登録するとともに、謝礼を会員限定セキュアネットワーク５を介してユーザ端末７ａのユーザに送信する（ステップＳ２）。ここで、ユーザは本医学知識情報管理システムの会員として会費をシステムに払っているので、この会費は当該ユーザが医学知識情報管理システムに提供した医学知識情報の数に応じて会費が低減されたりまたは相殺される。
【００９２】
また、製品メーカなどに設けられていて、製薬技術者や担当者などのユーザは、新薬が開発されると、この新薬のコンポーネント情報をユーザ端末７ｂから会員限定セキュアネットワーク５を介して医学知識情報管理装置１に提供する（ステップＳ１１）。医学知識情報管理装置１は、この新薬のコンポーネント情報を例えば図３に示したような医薬品コンポーネント情報として第１の医学知識情報データベース１ｂに登録する。
【００９３】
このような新薬の開発は医学知識情報管理システムの会員に適宜最新の医学知識情報として通知されるので、この新薬開発の通知を受けた例えば病院・診療所などの医師であるユーザは、ユーザ端末７ｃから該医薬品コンポーネント情報の閲覧要求を会員限定セキュアネットワーク５を介して医学知識情報管理装置１に送信する（ステップＳ１２）。医学知識情報管理装置１は、この閲覧要求に対して医薬品コンポーネント情報を第１の医学知識情報データベース１ｂから読み出し、第１の医学知識管理サーバ１ａから会員限定セキュアネットワーク５を介してユーザ端末７ｃにダウンロードする（ステップＳ１３）。
【００９４】
製薬メーカは、上記新薬の医薬品コンポーネント情報をダウンロードしたユーザのリストをインターネット９を介して医学知識情報管理装置１から取得し（ステップＳ１４）、このユーザを訪問してセールスなどを行う（ステップＳ１５）。一方、ダウンロードされた新薬の医薬品コンポーネント情報を閲覧した病院・診療所などの医師が新薬を採用すると決定して、新薬購入契約を製薬メーカと締結し、その料金を製薬メーカに支払うと（ステップＳ１６）、製薬メーカは医学知識情報管理装置１に対してサイト利用料として新薬の売上の例えば数％を支払う（ステップＳ１７）。
【００９５】
また、図６において、病院・診療所などの医師がユーザ端末７ｄから感染症情報を会員限定セキュアネットワーク５を介して医学知識情報管理装置１に提供すると、この感染症情報に加えて、関連する医学知識情報がセットで医学知識情報管理装置１から会員限定セキュアネットワーク５を介してユーザ端末７ｄにダウンロードすることも可能である。なお、この機能は、感染症情報をアップロードすることを条件に提供されるものであり、アップロードとダウンロードの機能を単一のモジュールとして提供することができる。
【００９６】
上記実施形態では、本医学知識情報管理システムは会員登録を行ったユーザのみが利用可能であるものと説明したが、本発明はこれに限定されるも任意のユーザも利用することができ、特に会員制である必要もない。
【００９７】
なお、上記実施形態の医学知識情報管理システムの処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、医学知識情報管理システムとして機能させることができることは勿論であり、このような記録媒体を用いることにより、その流通性を高めることができるものである。
【００９８】
【発明の効果】
以上説明したように、本発明によれば、ネットワークを介してユーザ端末から医学知識情報を取得し、医学知識情報データベースに登録管理し、ユーザ端末からの要求に従って医学知識情報データベースを検索し、該当する医学知識情報をネットワークを介してユーザ端末に提供するので、ネットワークを介して広く収集した最新の優れた医学知識情報を登録でき、ユーザ端末の要求に適合する最適な医学知識情報をデータベースから取得してユーザ端末に提供でき、ユーザ端末の医師は該医学知識情報に基づいて実際の診療を適確に行うことができ、適切で優れた治療を患者に施すことができる。
【００９９】
また、本発明によれば、本システムに加入する特定のユーザの端末からネットワークを介して医学知識情報を取得するとともに、インターネット上から医学知識情報を収集するので、インターネットも含むネットワークを介して最新の優れた医学知識情報を広く収集でき、ユーザ端末の要求に適合する最適な医学知識情報を適確にデータベースから取得して提供でき、ユーザ端末の医師は該医学知識情報に基づいて実際の診療を適確に行うことができ、適切で優れた治療を患者に施すことができる。
【０１００】
更に、本発明によれば、第１の情報取得手段が医学知識情報を取得するネットワークが特定のユーザに限定されたユーザ限定セキュアネットワークであるので、特定のユーザである会員のみに最新の医学知識情報を提供でき、また該会員から信頼性のある医学知識情報を取得することができる。
【０１０１】
本発明によれば、メーリングリストに登録されたユーザ端末から医学知識情報を収集するので、メーリングリストに登録された信頼のあるユーザから最新の優れた医学知識情報を適確に収集することができ、患者の治療に役立てることができる。
【０１０２】
また、本発明によれば、予め設定された所望の検索条件で適宜インターネット上を検索し、該検索条件に適合する医学知識情報を収集して第２の医学知識情報データベースに登録するので、医療で必要とする所望の医学知識情報のみを適確に収集でき、患者の治療に役立てることができる。
【０１０３】
更に、本発明によれば、医学知識情報を病名情報、患者状況情報、疾患症状情報、感染症情報、対処情報、診療要領情報、医薬品情報、医薬品の併用禁忌、相互作用を含む医薬品併用情報、投与経路情報、医薬品提供形態情報、医療機具使用法情報、医薬品服用方法情報を含む大分類情報のそれぞれに分類される各詳細情報を医学知識情報として大分類に従った最適な組合せで部品化したコンポーネント情報とし、利用または提供レベルコードと組み合わせて一意な管理ＩＤで登録管理するので、診療において必要とする最適なコンポーネント情報を適確に取得でき、患者の治療に役立てることができる。
【０１０４】
本発明によれば、用量決定テーブルを登録する用量決定データベースを有し、この用量決定データベースから患者の年齢および体重に対応する医薬品の用量情報を取得してユーザ端末に送信するので、ユーザにおいては患者の年齢および体重に対応する医薬品の用量情報を容易に取得でき、最適な用量を適確に決定することができる。
【０１０５】
また、本発明によれば、ユーザ端末からの用量情報要求に対して患者情報に適合する用量決定テーブルをネットワークを介してユーザ端末に返信し、またユーザ端末からの用量決定テーブル要求に対して用量決定テーブルをネットワークを介してユーザ端末に返信するので、ユーザ端末では用量決定テーブルを受信し、このテーブルから患者の年齢および体重に対応する医薬品の用量情報を容易に取得でき、最適な用量を適確に決定することができる。
【０１０６】
更に、本発明によれば、ユーザ端末は用量情報要求を送信し、この用量情報要求に対して患者情報に適合する用量決定テーブルを受信し、この用量決定テーブルから患者の年齢および体重に対応する医薬品の用量情報を取得するので、ユーザ端末では用量決定テーブルから患者の年齢および体重に対応する医薬品の用量情報を容易に取得でき、最適な用量を適確に決定することができる。
【０１０７】
本発明によれば、ユーザ端末は用量決定テーブル要求を送信し、この要求に対して用量決定テーブルを受信すると、この用量決定テーブルをデータベースとして登録するとともに、この用量決定テーブルから患者の年齢および体重に対応する医薬品の用量を決定するので、ユーザ端末において用量決定テーブルをデータベースに登録しておくことにより、いちいちネットワークを介してアクセスすることなく、ユーザ端末において患者の年齢および体重に対応する医薬品の用量を迅速かつ効率的に決定できる。
【０１０８】
また、本発明によれば、ユーザ端末からの医学知識情報の提供数およびユーザ端末における医学知識情報の利用数に応じてユーザ端末に対する課金を行うので、ユーザにおける医学知識情報の利用数のみでなく、提供数も考慮して課金が行われることによりユーザは医学知識情報の提供に励むことができ、有効な医学知識情報を適確に収集することができる。
【０１０９】
更に、本発明によれば、医学知識情報の提供数と利用数を比較し、両者が同じ場合、提供数が利用数よりも大きい場合、提供数が利用数よりも小さい場合のそれぞれに応じた課金の割引または利用料の低減を行うので、ユーザは医学知識情報の提供に励むことができ、有効な医学知識情報を適確に収集することができる。
【図面の簡単な説明】
【図１】本発明の一実施形態に係る医学知識情報管理システムの構成を示すブロック図である。
【図２】図１に示す実施形態の医学知識情報管理システムにおいてメーリングリスト形式で取得する医学知識情報と医学知識情報管理システムの連携イメージを示す図である。
【図３】図１に示す実施形態の医学知識情報管理システムにおけるコンポーネント情報の例を示す図である。
【図４】図１に示す実施形態の医学知識情報管理システムにおいてＸＭＬで記述された構造化文書を示す図である。
【図５】図１に示す実施形態の医学知識情報管理システムにおけるメタ情報テーブルおよび用量決定テーブルを示す図である。
【図６】図１に示す実施形態の医学知識情報管理システムの作用を説明するための図である。
【符号の説明】
１  医学知識情報管理装置
１ａ  第１の医学知識管理サーバ
１ｂ  第１の医学知識情報データベース
３  医学知識情報収集装置
３ａ  第２の医学知識管理サーバ
３ｂ  第２の医学知識情報データベース
５  会員限定セキュアネットワーク
７ａ，７ｂ，７ｃ，７ｄ  ユーザ端末
９  インターネット
３１  メタ情報テーブル
３５  用量決定テーブル
【図１】
2004334647.tif 000003
【図２】
2004334647.tif 000004
【図３】
2004334647.tif 000005
【図４】
2004334647.tif 000006
【図５】
2004334647.tif 000007
【図６】
2004334647.tif 000008